(57)【特許請求の範囲】
【請求項１】
パチンコ球が入り得る入賞室と、その入賞室に入った前記パチンコ球が転動可能な転動部と、前記パチンコ球の入賞によって遊技者に特典を与える特定入賞口とを有する入賞装置において、
前記入賞室内で回転可能に吊り下げて、頂部と前記転動部の上面との間隔を前記パチンコ球の外径よりも小さくした二対の第１障害物を備え、かつ一方側に位置する一対の第１障害物の間隔と他方側に位置する一対の第１障害物の間隔とを異ならせた回転体と、
前記回転体を回転運動させる駆動手段とを備え、
前記回転体を回転させることにより、間隔の広い一対の第１障害物の間から間隔の狭い一対の第１障害物の間を通り抜けて前記特定入賞口に入賞可能な第１状態と、前記二対の第１障害物のいずれかに突き当たって前記パチンコ球の転動を変向させる第２状態とを取り得る入賞装置。
【請求項２】
請求項１に記載した入賞装置において、
回転体は、二対の第１障害物のうちで間隔の広い一対の第１障害物の近傍に、頂部と転動部の上面との間隔をパチンコ球の外径よりも大きくした第２障害物を備えた入賞装置。
【請求項３】
請求項１または２に記載した入賞装置において、
駆動手段は、第１状態で回転体を一時的に停止させる入賞装置。
【発明の詳細な説明】
【０００１】
【発明の属する技術分野】
この発明は新規な趣興を有する入賞装置を備えたパチンコ機に関する。
【０００２】
【従来の技術】
パチンコ機の入賞装置にはその大入賞口を通り抜けたパチンコ球の転動経路を変化させて特別入賞の機会を与える種々の入賞球用経路制御機構が組込まれている。
【０００３】
【発明が解決しようとする課題】
本発明は大入賞口へ入賞したパチンコ球の転動経路を変化させる入賞球用経路制御態様に関して新規な趣興を加えることを課題とするものである。
【０００４】
【課題を解決するための手段】
（１）請求項１に記載した発明は、パチンコ球が入り得る入賞室と、その入賞室に入った前記パチンコ球が転動可能な転動部と、前記パチンコ球の入賞によって遊技者に特典を与える特定入賞口とを有する入賞装置において、前記入賞室内で回転可能に吊り下げて、頂部と前記転動部の上面との間隔を前記パチンコ球の外径よりも小さくした二対の第１障害物を備え、かつ一方側に位置する一対の第１障害物の間隔と他方側に位置する一対の第１障害物の間隔とを異ならせた回転体と、前記回転体を回転運動させる駆動手段とを備え、前記回転体を回転させることにより、間隔の広い一対の第１障害物の間から間隔の狭い一対の第１障害物の間を通り抜けて前記特定入賞口に入賞可能な第１状態と、前記二対の第１障害物のいずれかに突き当たって前記パチンコ球の転動を変向させる第２状態とを取り得る。
（２）請求項２に記載した発明は、回転体は頂部と転動部の上面との間隔をパチンコ球の外径よりも大きくした第２障害物を備える。この第２障害物は、二対の第１障害物のうちで間隔の広い一対の第１障害物の近傍に位置する。
（３）請求項３に記載した発明は、駆動手段は第１状態で回転体を一時的に停止させる。
【０００５】
（１）請求項１に記載した発明によれば、回転体に備えた二対の第１障害物の頂部と転動部の上面との間隔はパチンコ球の外径よりも小さいので、転動部を転動するパチンコ球は二対の第１障害物のいずれかに突き当たる可能性がある。回転体が第１状態にあるとき、パチンコ球は間隔の広い一対の第１障害物の間から間隔の狭い一対の第１障害物の間を通り抜けて特定入賞口に入賞可能になる。また回転体が第２状態にあるとき、パチンコ球は二対の第１障害物のいずれかに突き当たって転動部の上面で転動が変向する。
（２）請求項２に記載した発明によれば、回転体には二対の第１障害物とは異なる第２障害物であって、二対の第１障害物のうちで間隔を広くした一対の第１障害物の近傍に備える。よって間隔を広くしたほうの一対の第１障害物を認識し易いので、パチンコ球が通り抜けて特定入賞口に入賞可能な状態が容易に分かる。
（３）請求項３に記載した発明によれば、回転体は第１状態で一時的に停止するので、停止期間中はパチンコ球が二対の第１障害物の間を通り抜けて特定入賞口に入賞可能になる。
【０００６】
【発明の効果】
本発明によれば、入賞室内に吊り下げた回転体が回転するので、入賞室内でのパチンコ球の移送態様を特異化してゲームの興趣を高めることができる。
【０００７】
【発明の実施の形態】
次に、本発明にかかる実施の形態を図面にしたがって説明する。
パチンコ機の枠部８６の木枠８０の前面の下端には下皿８１と、遊技者によって回動操作される操作ハンドル８２と、パチンコ球を単発発射するときに操作される発射装置停止スイッチ８３とが配設され、金枠８４の下部には上皿８５が取付けられ、パチンコ機の枠部８６の表側には金枠８４の開放を検出する金枠検出スイッチ８７と、賞品球払出し兼賞品切れ表示灯１２７とが取付けられるとともに、枠部８６の中央部には遊技盤１が組付けられている。
【０００８】
木枠８０の前面に取付けられた装飾部材には当り表示灯８８〜８８と金枠開放表示灯８９とが取付けられている。
【０００９】
図３において、枠部８６の裏側の中央部に配設された基板ボックス９０内にはこのパチンコ機の諸機能をコントロールする制御装置の制御基板７７が装入されている。
【００１０】
枠部８６の裏側の下端には打球ハンマ９１を駆動する発射モータ９２と、発射モータ駆動回路９３ａがプリントされた発射装置制御基板９３とが配設され、この発射装置制御基板９３には遊技者が操作ハンドル８２に触れたときにＯＮとなるタッチスイッチ９４と、遊技者が操作ハンドル８２を操作したときにＯＮとなるハンドルスイッチ９５と、発射装置停止スイッチ８３とが接続されている。
【００１１】
枠部８６の裏側の上端には球タンク９７と、タンクレール９８と、賞品球切れ検出スイッチ１２６とが配設され、枠部８６の一側部には球タンク９７内から送り込まれた賞品球を受け入れる賞品球ケース９９と、６個若しくは１０個の賞品球の払い出しが可能な賞品球払い出し装置１００と、入賞球の到来によって賞品球払い出し装置１００を起動させる払い出し起動機構１０１とが上から順に組付けられている。
【００１２】
図３において、パチンコ球が１５個獲得入賞口へ入球すると、その入賞球が払い出し起動機構１０１の賞品球払い出しモータ１０２のモータ軸に固定された球切りカム１０３によって受け止められ、賞品球払い出し検出スイッチ１０４がＯＮとなって賞品球の払い出しを検出するとともに、連結ロッド１０５が上動して賞品球払い出し装置１００の内昇降板１００ａおよび内球止め片１００ｂが上動しかつ放出弁１００ｃが下方へ傾動し、賞品球払い出し装置１００の球貯留部内の賞品球のうちの１０個の賞品球が上皿８５上へ払い出される。
【００１３】
パチンコ球が６個獲得入賞口へ入球すると、同様にして内昇降板１００ａおよび内球止め片１００ｂが上動して放出弁１００ｃが下方へ傾動すると同時に、外昇降板駆動ソレノイド１０６が励磁されて外昇降板１００ｄおよび外球止め片１００ｅが上動し、球貯留部内の賞品球のうちの６個の賞品球が上皿８５上へ払い出される。
【００１４】
枠部８６の裏側の下部には賞品球払い出し禁止スイッチ１０７と、この賞品球払い出し禁止スイッチ１０７、金枠検出スイッチ８７、ハンドルスイッチ９５がそれぞれ接続された防犯基板１０８とが配設され、枠部８６の上部には賞品球切れ検出スイッチ１０９と、枠部８６の裏側および遊技盤１の裏側にそれぞれ設置された４個２組の外部接続端子１１０〜１１０とが配設されている。
【００１５】
外部接続端子１１０は遊技店内の管理装置および情報装置や島設備の表示装置等に接続され、各外部接続端子１１０によってパチンコ機台側から当たり情報、賞品球切れ情報、金枠開放情報、大入賞口始動情報、大当たり情報等が出力され、発射装置制御情報が入力される。
【００１６】
なお、各スイッチ類、表示灯、モータ、ソレノイド等の各種電気部品はそれぞれ図１４に示すコネクタ１３０〜１３０を介して回路基板に接続されている。
【００１７】
遊技盤１の遊技盤面１ａにはその中央部付近に配設された入賞装置１０と、この入賞装置１０の両側方にそれぞれ配設された左中入賞口２Ａ及び右中入賞口２Ｂと、入賞装置１０の両側斜め下方にそれぞれ配設された左チューリップ式役物３Ａ及び右チューリップ式役物３Ｂと、入賞装置１０の下方で横方向へ配列された左始動口４Ａ、中始動口４Ｂ、右始動口４Ｃと、入賞装置１０の斜め下方に配設されてパチンコ球が通り抜ける左右１対のゲート５とが設置されている。
【００１８】
図４において、遊技盤１の裏側には、左始動口入賞検出スイッチ１１７と、中始動口入賞検出スイッチ１１８と、右始動口入賞検出スイッチ１１９と、左側のゲート５を通り抜けたパチンコ球を検出する左図柄作動スイッチ１２０と、右側のゲート５を通り抜けたパチンコ球を検出する右図柄作動スイッチ１２１と、中始動口開放ソレノイド１２２と、中継基板１２３とが設置され、また、パチンコ球を誘導する誘導樋１２４が取付けられている。
【００１９】
次に、入賞装置１０について説明すると、遊技盤面１ａにビス着されたベース枠１１には中央部にほぼ方形状の開口部１１ｂが開設された前枠部１１ａが形成され、この前枠部１１ａにはその上端に配設された天入賞口１２と、この天入賞口１２の若干下方に配設されたリード線挿通口１３と、下端に配設されたスイッチ挿通口１４および球通過口１５とが開口されている。
【００２０】
ベース枠１１の前枠部１１ａの裏面には天入賞口１２の開口縁に連接されて後方へ突出された角筒状の上樋片１１ｃと、開口部１１ｂの上縁および両側縁にそれぞれ連接されて後方へ突出された後枠部１１ｄと、スイッチ挿通口１４の下開口縁に連接されたスイッチ受け板１１ｅと、球通過口１５の両側縁および下縁に連接された下樋片１１ｆとが突出形成されている。
【００２１】
ベース枠１１の前枠部１１ａの前面上端には下面がベース枠１１の開口部１１ｂの上縁に整合された上ケース体１７がビス着され、この上ケース体１７には中央部に方形状の窓部１７ｃが開口された前板部１７ａと、この前板部１７ａの裏面に連接されたほぼ角筒状の筒部１７ｂとが形成され、筒部１７ｂの上面には筒部１７ｂ上へ転落したパチンコ球を天入賞口１２側へ誘導する誘導面１７ｄが形成されている。
【００２２】
上ケース体１７内にはＬＥＤ基板１８が設置され、このＬＥＤ基板１８の前面にはゲート５を通過したパチンコ球の記憶数を表示する左右２対の記憶数表示ＬＥＤ１９と、窓部１７ｃに対置された左右１対の図柄表示体（表示ＬＥＤ）２０Ａ，２０Ｂとが取付けられている。
【００２３】
両図柄表示体２０Ａ，２０Ｂはパチンコ球がゲート５を通過して左図柄作動スイッチ１２０がパチンコ球の通過を検出したときにそれぞれ１，３，５，７，９の５種類の図柄の変動表示を同時に開始する。
【００２４】
左図柄表示体２０Ａはパチンコ球がゲート５を通過した記憶の有無に拘わらず５種類の図柄を１→３→５→７→９の順に１図柄につき０．０３２秒、１周期０．１６秒の移行速度で７．８０８秒間高速変動表示してから変動表示を停止する。
【００２５】
右図柄表示体２０Ｂはパチンコ球がゲート５を通過した記憶がない場合には５種類の図柄を１→３→５→７→９の順に１図柄につき０．０３２秒、１周期の０．１６秒の移行速度で９．９８４秒間高速変動表示してから変動表示を停止し、右図柄表示体２０Ｂが変動表示を停止してから０．５０４秒後に両図柄表示体２０Ａ，２０Ｂの停止図柄が判定される（図１６参照）。
【００２６】
また、パチンコ球がゲート５を通過した記憶がある場合には右図柄表示体２０Ｂは始めに５種類の図柄を１図柄につき０．０３２秒、１周期０．１６秒の移行速度で７．８０８秒間高速変動表示し、続いて１図柄につき０．２５６秒、１周期１．２８秒の移行速度で２．８１６〜５．１２秒間低速変動表示してから変動表示を停止し、右図柄表示体２０Ｂが変動表示を停止してから０．５０４秒後に両図柄表示体２０Ａ，２０Ｂの停止図柄が判定される（図１７参照）。
【００２７】
ベース枠１１の前枠部１１ａの下部にビス着された下ケース体２２にはその前端に垂立されて左右端部が上方へ突出された前壁板２２ａと、この前壁板２２ａの裏面の左右端部および下部に連接された側壁板２２ｂと、この側壁板２２ｂの内方で前壁板２２ａの裏面に連接された左右１対の中隔壁板２２ｃとが形成され、両中隔壁板２２ｃの内壁面の上部および中央部には下ケース体２２内へ転落したパチンコ球を下ケース体２２の下側中央部へ誘導する左右１対の上誘導面２２ｄおよび左右１対の下誘導面２２ｅが形成されている。
【００２８】
下ケース体２２の左右の上端縁２２ｆと、上ケース体１７の下面の左右端縁との間にはそれぞれ大入賞口２３がそれぞれ開設されている。
【００２９】
下ケース体２２の両中隔壁板２２ｃ間の下部でベース枠１１のスイッチ受け板１１ｅ上には大入賞口２３を通って下ケース体２２内へ落入したパチンコ球を検出する第１大入賞口入賞検出スイッチ２４が水平姿勢で設置されている。
【００３０】
下ケース体２２の前壁板２２ａの裏面中央部には１個のパチンコ球の転動が可能な方形板状に形成されて上面が後下り状に傾斜した球受板２５の前端面が接合され、この球受板２５と下ケース体２２の左右の下誘導面２２ｅとの間にはパチンコ球を第１大入賞口入賞検出スイッチ２４の検出口へ誘導する下球通路２６それぞれ形成されている。
【００３１】
ベース枠１１の前枠部１１ａの中央部付近の前側には前仕切り板２７が設置され、この前仕切り片２７には前枠部１１ａと下ケース体２２との間に挟止されて開口部１１ｂの下部を閉塞する垂立片２７ａが垂直状に形成され、この垂立片２７ａの前面の上端部には左右対称な凸円弧状に湾曲されて前方へ突出された棚板２７ｂが連接され、この棚板２７ｂの両側縁と下ケース体２２の両上誘導面２２ｄとの間には下球通路２６に連通された左右１対の上球通路２８が形成されている。
【００３２】
前仕切り板２７の垂直片２７ａの下端中央部には下縁が球受板２５の上面に整合されて球受板２５上へ転落したパチンコ球を後方へ通過させる球通過口２９が開設されている。
【００３３】
ベース枠１１の裏側には後枠部１１ｄの両側板にそれぞれ突合わせ状に対接された左右の側板３１ａと、この両側板３１ａの上端縁にそれぞれ連接された上板３１ｂと、この上板３１ｂの上面の中央部に連接されて上樋片１１ｃの一方の側板および上板に突合わせ状に対接された後樋片３１ｃとを有する中間ケース３１が組付けられている。
【００３４】
ベース枠１１の後枠部１１ａの中央部付近と、中間ケース３１の中央部付近との間には前仕切り板２７の後側に設置された後仕切り板３２が挟み込まれている。この後仕切り板３２には前仕切り板２７の垂立片２７ａの後方に１個のパチンコ球の通過が可能な間隙を隔てて垂立されて上端部付近が垂立片２７ａの上方へ突出された垂立片３２ａと、この垂立片３２ａの前面上部に連接されてベース枠１１の開口部１１ｂ間に横架され、前端縁が前仕切り片２７の垂立片２７ａの上端縁に対接された棚板３２ｂと、垂立片３２ａの上端の中央部に切込まれた切込み部の両側縁にそれぞれ連接されてパチンコ球の通過不能な間隙を隔てて後方へ並行状に突出され、下側縁および後側縁が前上端から後下縁へ円弧状に湾曲された左右１対の上ガイド片３２ｅと、この両上ガイド片３２ｅの下方で垂立片３２ａの裏面に連接されて１個のパチンコ球の通過可能な間隙を隔てて並行状に垂立された左右１対の下ガイド片３２ｆとが形成されている。
【００３５】
後仕切り板３２の垂立片３２ａの裏面の左右端部にはＬＥＤ基板がそれぞれビス着され、この両ＬＥＤ基板の前面にはそれぞれ７個の連続回数表示ＬＥＤ３４が取付けられている。
【００３６】
中間ケース３１内の中央部付近には上面の前端縁が後仕切り板２７の垂立板２７ａの上端縁に整合されて後部が中間ケース３１の両側板３１ａの後方へ突出され、上面が後下り状に傾斜した誘導板３６が横架されている。
【００３７】
この誘導板３６の前端中央部には通し孔３６ａが開口され、この通し孔３６ａの両側縁には下端縁が後仕切り板３２の両下ガイド片３２ｆの上端縁にそれぞれ突合わせられて上部が両上ガイド片３２ｅの下部外方にそれぞれ配設された左右１対のガイド片３６ｂが連接されている。
【００３８】
中間ケース３１の後側には中間ケース３１の両側板３１ａに突合わせ状に対置されて垂立された左右の側板３５ａと、この両側板３５ａの上端縁に連接されて後下り状に設置され、前部が中間ケース３１内の上部に突入されて後部が両側板３５ａの後方へ突出された天板３５ｂと、両側板３５ａの後端縁に連接された後板３５ｃとを有する後ケース３５が組付けられている。
【００３９】
後ケース３５の後板３５ｃの上下方向の中央部付近には１個のパチンコ球の通過可能な間隙を隔てて上下並行状に横架された上片３７ａおよび下片３７ｂと、この上片３７ａの左右端部および下片３７ｂの左右端部にそれぞれ連接された並行状に垂立された左右の側片３７ｃと、上片３１ａの下面の中央部付近および下片３７ｂの上面の中央部付近にそれぞれ連接されて１個のパチンコ球の通過可能な間隙を隔てて並行状に垂立された左右１対の中仕切り片３７ｄとを有する誘導枠３７が形成されている。
【００４０】
誘導枠３７の中央部には両仕切り片３７ｄによって仕切られて誘導板３６の左右方向の中央部上を後方へ転動したパチンコ球が落入する特定入賞口３８が開口されるとともに、特定入賞口３８の両側方には仕切り片３７ｄと側片３７ｅとによって仕切られて開口幅が特定入賞口３８の開口幅より拡大された普通入賞口３９がそれぞれ開口されている。なお、誘導板３６はパチンコ球が転動可能な点で「転動部」に相当する。
【００４１】
後ケース３５の後板３５ｃの前面上端には前面が左右対称状に湾曲された左右１対の装飾ケース７９が取付けられ、この両装飾ケース７９内にはそれぞれ前端が装飾ケース７９の前面から若干突出された各５個の大入賞口入賞数表示ＬＥＤ６７が装入されている。
【００４２】
ベース枠１１の前枠部１１ａの下端部の後方には後枠部１１ｄ内の下端部と、中間ケース３１内の下端部と後ケース３５内の下端部とにわたって装入された底板５０が水平状に設置されている。
【００４３】
底板５０の上面の前端中央部には球受板２５の後側および前仕切り板２７の球通過口２９の後側に隣接されたガイド樋５１が取付けられ、このガイド樋５１の上面の両側縁には左右の誘導壁５１ａが突出形成され、ガイド樋５１の上面には球受板２５上へ転落して球通過口２９を通り抜けたパチンコ球を後方へ誘導する球誘導面が後下りの階段状に形成されている。
【００４４】
後ケース３５の裏面には底板５０の後端部の上方に垂立された前裏板６０が取付けられ、この前裏板６０の上部には後ケース３５の特定入賞口３８の後側に隣接された中通し孔６０ａと、両普通入賞口３９の後側にそれぞれ隣接された左右の横通し孔６０ｂとが左右１対の仕切り片６０ｃによって仕切られて開口されている。
【００４５】
前裏板６０の裏側の中央部には後裏板６１が組付けられ、この後裏板６１の前面には前裏板６０の両仕切り片６０ｃの後側にそれぞれ隣接して垂立された上片６２ａと、この上片６２ａの下端に連接されて筒形状に形成された下片６２ｂとをそれぞれ有する左右１対の中仕切り壁６２が突出形成され、この両中仕切り壁６２間には特定入賞口３８を通り抜けたパチンコ球を下方へ誘導する特定通路６４が形成されている。
【００４６】
後裏板６１の前面の周縁部で両中仕切り壁６２の外方にはパチンコ球を後裏板６１の前側下端の一方の角部へ誘導する左右の外仕切り壁６３が突出形成され、この両外仕切り壁６３と両中仕切り壁６２との間には両普通入賞口３９を通り抜けたパチンコ球を下方の同一個所へ誘導する普通通路６５がそれぞれ形成されている。この普通通路６５の途中には特定通路６４が連通されている。
【００４７】
両外仕切り壁６３の下端には普通通路６５の下端へ転落したパチンコ球を前方へ転動させるために前方へ水平状に延出された案内樋６６の基端部が連接されている。
【００４８】
両中仕切り壁６２間の下部には特定入賞口３８を通り抜けたパチンコ球を検出する特定領域通過検出スイッチ６８が挟持され、両外仕切り壁６３間の下端には普通入賞口３９を通過するパチンコ球および特定通路６４を通過したパチンコ球を検出する第２大入賞口入賞検出スイッチ６９が挟持されている。特定入賞口３８への入賞が特定領域通過検出スイッチ６８によって検出されると、連続作動装置が作動する。
【００４９】
後裏板６１の裏面の中央部付近にはＬＥＤ基板７１がビス着され、このＬＥＤ基板７１の前面には４つのＬＥＤ表示灯７２が取付けられている。
【００５０】
後裏板６１の裏面にビス着されたソレノイド取付け板７３の裏面には左右１対の大入賞口開放ソレノイド７４が上向き状に取付けられ、この両大入賞口開放ソレノイド７４の作動軸７４ａはそれぞれスプリング７４ｂで上方へ付勢されている。
【００５１】
両大入賞口開放ソレノイド７４の作動軸７４ａの上端にはこの両作動軸７４ａとともに上下方向へ進退動する連結板７５がそれぞれピン７４ｃを介して連結され、この連結板７５の左右端部にはそれぞれ横長状の挿通孔７５ａが貫設されている。
【００５２】
ベース枠１１の両側部にそれぞれ水平状に形成された左右１対の前軸受部と、後裏板６１の上部の左右端部にそれぞれ形成された左右１対の後軸受部６１ｂとには前後方向に沿って横架された左右１対の伝動軸４１がそれぞれ回転可能に貫挿支持され、この両伝動軸４１の前端には大入賞口２３内に装入されて伝動軸４１の回転によって内外方向へ傾動する可動翼片４２がそれぞれ固定されている。
【００５３】
両伝動軸４１の後端にはそれぞれ伝動片４３が固定され、この両伝動片４３の先端には後方へ突出されて連結板７５の挿通孔７５ａ内に挿通された連結ピン４４がそれぞれ挿着され、両伝動軸７６は伝動片４３および連結板７５を介して両大入賞口開放ソレノイド７４の作動軸７４ａにそれぞれ連繋されている。
【００５４】
両大入賞口開放ソレノイド７４が励磁されて両作動軸７４ａが下方へ退動すると、両伝動軸４１が相反方向へ約９０°回転して両可動翼片４２がそれぞれ外方の傾動端へ傾動し、両大入賞口２３がそれぞれ開放される。
【００５５】
両大入賞口開放ソレノイド７４が消磁されて両作動軸７４ａがスプリング７４ｂの弾発力で上方へ進動すると、両伝動軸４１がそれぞれ逆方向へ復帰回転して両可動翼片４２がそれぞれ内方の傾動端へ傾動端へ傾動し、両大入賞口２３がそれぞれ閉鎖される。
【００５６】
大入賞口２３を通り抜けたパチンコ球は下ケース体２２内と、ベース枠１１の後枠部１１ｄ内と、中間ケース３１内と、後ケース３５内とにわたって形成された入賞室４５内へ転落する。
【００５７】
底板５０の上面の後端部には制御装置の制御信号によって回転制御される下回転体駆動モータ５２が下向き状に取付けられ、この下回転体駆動モータ５２の出力軸５２ａには底板５０の下方に配設された駆動ギヤ５３が固定されている。
【００５８】
下回転体駆動モータ５２の前方には後仕切り板３２の両下ガイド片３２ｆの後側で底板５０と誘導板３６との間に挟み込まれて垂直な回転軸を中心とする回転動作可能に軸支され、スクリュコンベア状の外形を有する下回転体５４が直立状に設置されている。
【００５９】
下回転体５４には円柱状の胴部５４ａと、この胴部５４ａの回りに右上りに傾斜してスパイラル状に巻回された形態で胴部５４ａの外周面に連接された送り羽根５４ｂと、胴部５４ａの下端の中心部に挿着された軸部５４ｃとが形成され、軸部５４ｃには駆動ギヤ５３に噛合されたギヤ部５５ａと、周縁部にスリット５５ｃが切込まれた円盤状の定位置検出盤５５ｂとが上下に連接された従動ギヤ５５が固定されている。
【００６０】
下回転体駆動モータ５２の回転が駆動ギヤ５３および従動ギヤ５５を介して下回転体５４に伝達され、下回転体５４は送り羽根５４ｂが上方へ螺進する方向へ１分間に１００回転の回転速度で左回りに回転駆動される。
【００６１】
下回転体５４の送り羽根５４ｂの上端には斜め上方へ突出されて先端部が誘導板３６の下面に弾接された板ばね状の放出片５４ｄの基端部が固定されている。この放出片５４ｄは誘導板３６の下面に摺接して下回転体５４の回転軸の回りへ旋回し、下回転体５４の１回転毎に放出片５４ｄの先端部が誘導板３６の通し孔３６ａ内に突入される。
【００６２】
大入賞口２３を通って入賞室４５内の前部へ落入して前仕切り板２７の棚板２７ｂ上へ転落し、棚板２７ｂの側縁から落下して上球通路２８へ誘導されたパチンコ球は下球通路２６へ転落するか、若しくは球受板２５上へ転落する。球受板２５上へ転落したパチンコ球は前仕切り板２７の球通過口２９を通り抜けてガイド樋５１上を転動し、回転中の下回転体５４の下端部に突き当って下回転体５４によって受け止められ、下回転体５４の送り羽根５４ｂの下端部上に載置される。
【００６３】
パチンコ球の後部が送り羽根５４ｂの下端部上に載置されると、そのパチンコ球はその前端付近が両後仕切り板３２の両ガイド片３２ｅ間に挟み込まれてそのパチンコ球の転落が規制された状態で上方への送り羽根５４ｂの螺進動作によって直上へ直進移送され、誘導板３６の通し孔３６ａ内へ持ち上げられる。
【００６４】
送り羽根５４ｂによって誘導板３６の通し孔３６ａ内へ持ち上げられたパチンコ球は下回転体５４の放出片５４ｄの先端が旋回中に通し孔３６ａ内へ突入された時点で放出片５４ｄの弾発力によって跳上げられて通し孔３６ａ内から脱出し、誘導板３６上の特定入賞口３８の正面位置で積極的に放出される。
【００６５】
底板５０の下面には従動ギヤ５５の定位置検出盤５５ｂの周縁部が突入された検出溝５７ａを有する下回転体定位置検出スイッチ５６が取付けられている。定位置検出盤５５ｂのスリット５５ｃはこのスリット５５ｃが下回転体定位置検出スイッチ５６の検出溝５６ａ内へ進入すると、下回転体５４の送り羽根５４ｂの下端付近が胴部５４ａの前側へ移行して送り羽根５４ｂの下端部上へのパチンコ球の移載が可能な状態で下回転体５４が停止するように配設されている。
【００６６】
後ケース３５の天板３５ｂの後端下面には制御装置の制御信号によって回転制御される上回転体駆動モータ４６が上向き状に取付けられ、この上回転体駆動モータ４６の出力軸４６ａには天板３５ｂ上に配設された駆動ギヤ４７が固定されている。
【００６７】
後ケース３５の天板３５ｂの中央部付近には誘導板３６の中央部の上方に設置されて上回転体駆動モータ４６によって回転駆動される上回転体４８が水平回転可能に吊支され、この上回転体４８には段付円盤状の本体部４８ａと、この本体部４８ａの上端中央部に連接されて天板３５ｂの軸受部によって回転可能に支持された軸部４８ｂとが形成されている。なお、上回転体４８は「回転体」に相当し、上回転体駆動モータ４６は上回転体４８を回転駆動する点で「駆動手段」に相当する。
【００６８】
上回転体４８の軸部４８ｂには周縁部にスリット４９ｃが切込まれた円盤状の定位置検出盤４９ａと、駆動ギヤ４７に噛合されたギヤ部４９ｂとが上下に連接された従動ギヤ４９が固定されている。上回転体駆動モータ４６の回転が駆動ギヤ４７および従動ギヤ４９を介して上回転体４８に伝達されて上回転体４８が１分間に２５回転の回転速度で右回りに回転駆動される。
【００６９】
上回転体４８の本体部４８ａの下面は水平な円形状に形成され、この下面には本体部４８ａの中心の回りに配列されてパチンコ球を約２等分した形状を有する４つの半球体状の第１障害物５７が一体状に突出形成されている。各第１障害物５７の下端の頂部と誘導板３６の上面との間隔はパチンコ球の外径より縮小され、また、４つの第１障害物５７のうち、隣合う３つの第１障害物５７間の各間隔の大きさは特定の隣り合う２つの第１障害物５７間の間隙の大きさより縮小されている。
【００７０】
上回転体４８の本体部４８ａの下面の周縁部には間隙の大きさが拡大された２つの隣合う第１障害物５７の斜め外方に配置されて第１障害物５７の突出長および外径より縮小された突出長および外径を有する１個の半球体状の第２障害物５８が突出形成されている（図９を参照）。すなわち第２障害物５８は、二対の第１障害物５７のうちで間隔を広くした一対の第１障害物５７の近傍に備える。この第２障害物５８の下端の頂部と誘導板３６の上面との間隔はパチンコ球の外径より拡大されている。
【００７１】
上回転体４２が回転して本体部４８ａの各障害物５７，５８が水平旋回する途中で、第２障害物５８が正面位置（本体部４８ａの前端位置；図１，図５および図９を参照）へ旋回したときには各第１障害物５７が２列となって２つずつ前後方向へ整列し、誘導板３６の通し孔３６ａから特定入賞口３８に至る直線状の特定入賞通路４０が開通されて上回転体４８の前下方から後下方へのパチンコ球の直進転動が可能となり、通し孔３６ａ内から跳上げられたパチンコ球は各第１障害物５７によって誘導されて上回転体４８の下方を直進状に通り抜け、特定入賞口３８へ落入する。なお、各障害物５７，５８が正面位置へ旋回した状態は「第１状態」に相当する。図９に示す配置からも明らかなように、第１状態では下流側（図面右側）に位置する一対の第１障害物５７の間隔よりも、上流側（図面左側）に位置する一対の第１障害物５７の間隔が広くなっている。
【００７２】
第２障害物５８が正面位置以外の各位置に旋回した状態では通し孔３６ａから特定入賞口３８に至る特定入賞通路４０が第１障害物５７によって遮断され、通し孔３６ａを通り抜けたパチンコ球は第１障害物５７に突き当って誘導板３６上を変向して転動する。なお、各障害物５７，５８が正面位置以外の各位置に旋回した状態は「第２状態」に相当する。
【００７３】
後ケース３５の天板３５ｂの上面には従動ギヤ４９の定位置検出盤４９ａの周縁部が突入された検出溝６５ａを有する上回転体定位置検出スイッチ６５が取付けられている。定位置検出盤４９ａのスリット４９ｃはこのスリット４９ｃが上回転体定位置検出スイッチ６５の検出溝６５ａ内へ進入すると、上回転体４８の第２障害物５８が正面位置へ旋回した状態で上回転体４８が停止するように配設されている。
【００７４】
後裏板６１の後方には後裏板６１の裏面に連接されて後方へ突出された取付棒６１ａにビス着された中継基板７８が垂直状に設置され、この中継基板７８の裏面には入賞装置１０の各電気部品が接続されたコネクタおよび中継基板７８と入賞装置１０外の外部配線とを接続するコネクタが取付けられている。
【００７５】
次に、パチンコゲームのゲーム内容について説明する。
パチンコ機の電源を投入すると、上回転体駆動モータ４６が起動されて上回転体４８が０〜２．４秒後に２秒間停止して２．４秒間右回りに回転する間欠回転動作を開始し、また、下回転体駆動モータ５２が起動されて下回転体５４が４秒間左回りに回転してから、下回転体定位置検出スイッチ５６が０〜０．６秒後に下回転体５４の定停止位置を検出した時点で下回転体５４が回転動作を停止する。
【００７６】
また、電源投入時には両図柄表示体２０Ａ，２０Ｂはそれぞれ「１」を表示する。
【００７７】
遊技盤面１ａへ打出されたパチンコ球が大入賞口２３へ入賞すると、１０個の賞品球が払い出され、他の入賞口へ入賞すると、６個の賞品球が払い出される。
【００７８】
パチンコ球がゲート５を通過すると、左右図柄表示体２０Ａ，２０Ｂが図柄群の変動表示を開始し、左図柄表示体２０Ａは１，３，５，７，９の図柄を７．８０８秒間高速変動表示してから変動表示を停止し、右図柄表示体２０Ｂは１，３，５，７，９の図柄を９．９８４秒間高速で変動表示してから変動表示を停止するか、若しくは始めに７．８０８秒間高速変動表示し、続いて２．８１６〜５．１２０秒間低速で変動表示してから変動表示を停止し、右図柄表示体２０Ｂが図柄の変動表示を停止してから０．５０４秒後に両図柄表示体２０Ａ，２０Ｂの停止図柄が判定される。
【００７９】
両図柄表示体２０Ａ，２０Ｂの停止図柄が「３３」若しくは「７７」となった場合には中始動口４Ｂが図柄判定時点から０．５秒後に１回の開放時間を１．５秒とし、１回の閉鎖時間を４．０秒として１２．５秒間に３回開閉される（図１８参照）。
【００８０】
両図柄表示体２０Ａ，２０Ｂの停止図柄が「３３」、「７７」以外で同じ図柄となった場合、即ち「１１」、「５５」、「９９」となった場合には図柄判定時から０．５秒後に中始動口４Ｂが１．５秒間１回開放され（図１９参照）、両図柄表示体２０Ａ，２０Ｂの停止図柄が同じ図柄となった場合以外は中始動口４Ｂは開放されない。
【００８１】
両図柄表示体２０Ａ，２０Ｂの変動表示中、若しくは中始動口４Ｂの開閉中にパチンコ球がゲート５を通過すると、このゲート通過球数が最高４個まで記憶され、両図柄表示体２０Ａ，２０Ｂの変動表示停止後若しくは中始動口４Ｂの開閉終了後再び両図柄表示体２０Ａ，２０Ｂは図柄の変動表示を再開する。
【００８２】
パチンコ球が左右始動口４Ａ，４Ｃに入賞すると、大入賞口２３は２．０秒後に０．３４８秒間１回開放され、また、下回転体５４は回転動作を開始して大入賞口２３の閉鎖後４秒経過してから０〜０．６秒後に定位置で停止する（図２０参照）。
【００８３】
パチンコ球が中始動口４Ｂに入賞すると、大入賞口２３は開放時間を０．３４８秒とし、閉鎖時間を０．５秒として２回開閉され、また、下回転体５４は回転動作を開始して大入賞口２３が２回目に閉鎖されて４．０秒経過してから０〜０．６秒後に停止する（図２１参照）。
【００８４】
大入賞口２３へ入賞したパチンコ球が特定入賞口３８へ入賞すると、連続作動装置が作動し、大入賞口２３は４．０秒間閉鎖された後で２５．９秒間に１８回連続開閉される。この１８回の連続開閉のうち１回目から６回目まで、および、１６回目から１８回目までの大入賞口２３の各回の開放時間は０．４秒で閉鎖時間は１．１秒と規定され、７回目から１５回目までの大入賞口２３の各回の開放時間は０．６秒で閉鎖時間は０．９秒と規定されている（図２２参照）。
【００８５】
また、大入賞口２３は１８回連続開閉中に大入賞口２３への入賞球数が９個カウントされた時点で開閉を停止する（図２３参照）。
【００８６】
大入賞口２３の１８回連続開閉中にパチンコ球が再度特定入賞口３８へ入賞したときには大入賞口２３はその入賞時点で４．０秒間閉鎖されてから１８回連続開閉を再開する（図２４参照）。この大入賞口２３の１８回連続開閉の繰返し回数は最初の回数を含めて最高１６回までと規定されている。
【００８７】
上回転体４８はパチンコ球が特定入賞口３８へ入賞した時点で右回りの回転動作を開始し、大入賞口２３の１８回連続開閉中大入賞口２３が１０回目に開放されてから０〜２．４秒後に定位置で回転動作を停止し、大入賞口３３が１７回目に開放された時点で２．４秒間回転して０．２秒間停止する電源投入時の間欠回転動作を再開する（図２２を参照）。
【００８８】
また、特定入賞口３８への入賞によって回転動作を開始した上回転体４８は大入賞口２３の１８回連続開閉中に大入賞口２３への入賞球数が４個カウントされてから０〜２．４秒後に定位置で回転動作を停止し、入賞球数が９個カウントされた時点で電源投入時の間欠回転動作を再開する（図２３参照）。
【００８９】
下回転体５４はパチンコ球が特定入賞口３８に入賞した時点で左回りの回転動作を開始し、大入賞口２３の１８回連続開閉終了後連続作動装置の有効時間４．０秒が経過してから０〜０．６秒間に定位置で停止する（図２２参照）。
【００９０】
また、下回転体５４は大入賞口２３の１８回連続開閉中に大入賞口２３への入賞球数が９個カウントされて大入賞口２３が閉鎖された後連続作動装置の有効時間４．０秒が経過してから０〜０．６秒後に定位置で停止する（図２３参照）。
【００９１】
大入賞口２３の開閉中にパチンコ球が各始動口４Ａ，４Ｂ，４Ｃに入賞しても、規定数の賞品球が払い出されるだけで大入賞口２３は引続き開閉されない。
【００９２】
続いて、上記した構成をもつ実施例の作用と効果を説明する。
本例では入賞装置１０の入賞室４５内には垂直な回転軸を中心として回転駆動されるスクリュコンベア状の下回転体５４を直立状に設置し、入賞室４５内の前部下端へ転落したパチンコ球を下回転体５４の送り羽根５４ｂの下端部上へ誘導して下回転体５４の回転動作によって直上へ直進移送し、誘導板３６の通し孔３６ａ内へ持上げられたパチンコ球を遊技者に大きな利益を与える特定入賞口３８への落入が可能な特定入賞口３８の正面位置で放出片５４ｄによって積極的に放出するように構成してある。
【００９３】
このため、入賞室４５内の下端の特定位置へ転落したパチンコ球を下回転体５４によって直上へ直進移送して遊技者に大きな利益を与える特定入賞口３８への入賞が可能な位置で放出することができ、入賞室４５内でのパチンコ球の移送態様を特異化してゲームの興趣を高めることができる。
【００９４】
また、下回転体５４によって移送されて放出されるパチンコ球が通り抜ける誘導板３６の通し孔３６ａから特定入賞口３８へ至る特定入賞通路４０を上回転体４８の各障害物５７，５８の旋回態様によって開通および遮断し、特定入賞口３８への入賞確率を上回転体４８によって変化させてゲームの興趣を高めることができる。
【図面の簡単な説明】
【図１】入賞装置の縦断面図である。
【図２】パチンコ機の正面図である。
【図３】パチンコ機の枠部の裏面図である。
【図４】遊技盤の裏面図である。
【図５】入賞装置の正面図である。
【図６】入賞装置の斜視図である。
【図７】図１のＸ１−Ｘ１線矢視図である。
【図８】図１のＸ２−Ｘ２線矢視図である。
【図９】図１のＸ３−Ｘ３線矢視図である。
【図１０】図１のＸ４−Ｘ４線矢視図である。
【図１１】図１のＸ５−Ｘ５線矢視図である。
【図１２】図１のＸ６−Ｘ６線矢視図である。
【図１３】図１のＸ７−Ｘ７線矢視図である。
【図１４】パチンコ機の電気配線図である。
【図１５】電源投入時の上下回転体の動作を示すタイムチャートである。
【図１６】両図柄表示体の変動表示態様を示すタイムチャートである。
【図１７】両図柄表示体の変動表示態様を示すタイムチャートである。
【図１８】中始動口の開閉態様を示すタイムチャートである。
【図１９】中始動口の開閉態様を示すタイムチャートである。
【図２０】大入賞口の開閉態様と下回転体の動作とを示すタイムチャートである。
【図２１】大入賞口の開閉態様と下回転体の動作とを示すタイムチャートである。
【図２２】大入賞口の１８回転連続開閉態様と上下回転体の動作とを示すタイムチャートである。
【図２３】大入賞口の開閉態様と上下回転体の動作とを示すタイムチャートである。
【図２４】大入賞口の開閉態様と上下回転体の動作とを示すタイムチャートである。
【符号の説明】
１０  入賞装置
２３  大入賞口
３８  特定入賞口
４５  入賞室
５４  下回転体
【図１】
0003635014.tif 000002
【図２】
0003635014.tif 000003
【図３】
0003635014.tif 000004
【図４】
0003635014.tif 000005
【図５】
0003635014.tif 000006
【図６】
0003635014.tif 000007
【図７】
0003635014.tif 000008
【図８】
0003635014.tif 000009
【図９】
0003635014.tif 000010
【図１０】
0003635014.tif 000011
【図１１】
0003635014.tif 000012
【図１２】
0003635014.tif 000013
【図１３】
0003635014.tif 000014
【図１４】
0003635014.tif 000015
【図１５】
0003635014.tif 000016
【図１６】
0003635014.tif 000017
【図１７】
0003635014.tif 000018
【図１８】
0003635014.tif 000019
【図１９】
0003635014.tif 000020
【図２０】
0003635014.tif 000021
【図２１】
0003635014.tif 000022
【図２２】
0003635014.tif 000023
【図２３】
0003635014.tif 000024
【図２４】
0003635014.tif 000025